【事件の表示】
　特許第３３４６４０８号「脱穀機の排藁搬送装置」の請求項１に係る特許に対する特許異議の申立てについて、次のとおり決定する。
【結　論】
　訂正を認める。
　特許第３３４６４０８号の請求項１に係る特許を取り消す。
【理　由】
１．手続の経緯
　本件特許第３３４６４０８号の請求項１に係る発明についての出願は、平成３年２月２５日の出願（特願平３−３０３１３号）の一部を、平成１２年１１月２４日に新たな特許出願としたものであり、平成１４年９月６日にその発明について特許の設定登録がなされ、その後、セイレイ工業株式会社より特許異議の申立てがなされ、平成１５年１２月１１日付けで取消理由通知がなされたところ、その指定期間内である平成１６年２月２３日付けで意見書とともに訂正請求書が提出されたものである。
　
２．訂正の適否についての判断
２−１．訂正の内容
（１） 訂正事項ａ
　特許明細書の特許請求の範囲の【請求項１】に記載された「脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成し、さらに、案内杆６と排藁との接触面は、排藁搬送ベルト５と排藁との接触面よりも上方に位置するように構成したことを特徴とする脱穀機の排藁搬送装置。」を、
「脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成し、さらに、案内杆６と排藁との接触面は、排藁搬送ベルト５と排藁との接触面よりも上方に位置するように構成し、前記挟持排藁搬送チェン４は、補強枠９に支持させて構成するとともに、該補強枠９は、平面視前記排藁搬送ベルト５と挟持排藁搬送チェン４と案内杆６に対して平行状態に配置して構成したことを特徴とする脱穀機の排藁搬送装置。」と訂正する。
（２） 訂正事項ｂ
　特許明細書の段落【０００６】（本件特許公報第２頁第３欄第２５−４６行）に記載された「【課題を解決するための手段】この発明は、上述の如き課題を解決するために、次のような技術的手段を講じる。すなわち、脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成し、さらに、案内杆６と排藁との接触面は、排藁搬送ベルト５と排藁との接触面よりも上方に位置するように構成したことを特徴とする脱穀機の排藁搬送装置としたものである。」を、
「【課題を解決するための手段】この発明は、上述の如き課題を解決するために、次のような技術的手段を講じる。すなわち、脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成し、さらに、案内杆６と排藁との接触面は、排藁搬送ベルト５と排藁との接触面よりも上方に位置するように構成し、前記挟持排藁搬送チェン４は、補強枠９に支持させて構成するとともに、該補強枠９は、平面視前記排藁搬送ベルト５と挟持排藁搬送チェン４と案内杆６に対して平行状態に配置して構成したことを特徴とする脱穀機の排藁搬送装置としたものである。」と訂正する。
　
２−２．訂正の目的の適否、新規事項の有無及び拡張・変更の存否
　上記訂正事項ａは、請求項１において、挟持排藁搬送チェン４が「補強枠９に支持させて構成するとともに、該補強枠９は、平面視前記排藁搬送ベルト５と挟持排藁搬送チェン４と案内杆６に対して平行状態に配置して構成」されたものであることに限定するものであり、本件特許の図２の本発明の要部の平面図の、補強枠９が、平面視排藁搬送ベルト５と挟持排藁搬送チェン４と案内杆６に対して平行状態に配置されている構成として記載されている事項、及び、本件特許の明細書の段落番号【００１３】に「排藁搬送装置８は、挾持排藁チエン４と、排藁搬送ベルト５と、案内杆６とからなっている。まず、挾持排藁チエン４は、補強枠９に支持させたチエンと底板１０に取り付けた挾持杆とからなり、始端部を前記脱穀搬送チエン３に臨ませ、終端部を機外に位置させている。そして、この挾持排藁チエン４は、扱室７からでた排藁を先端方向に寄せながら搬送するために、平面的に傾斜させて設けている。」と記載されていた事項に基づくものであるから、上記訂正事項ａは、特許請求の範囲の減縮を目的とした明細書の訂正に該当し、新規事項の追加に該当せず、実質上特許請求の範囲を拡張し、又は変更するものではない。
　上記訂正事項ｂは、上記訂正事項ａと整合を図るものであるから、明りょうでない記載の釈明を目的とした明細書の訂正に該当し、新規事項の追加に該当せず、実質上特許請求の範囲を拡張し、又は変更するものではない。
　
２−３．むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．本件の請求項１に係る発明
　上記２．で示したように上記訂正が認められるから、本件の請求項１に係る発明（以下、「本件発明」という。）は、上記訂正に係る訂正明細書の特許請求の範囲の請求項１に記載された事項により特定されるとおりのものである。（上記２−１．（１）訂正事項ａ参照）
　
３−２．引用刊行物に記載された発明
　当審で通知した取り消しの理由で引用した刊行物１（実願昭６２−７２７５５号（実開昭６３−１８１２３７号）のマイクロフィルム、以下「引用例１」という。）には、以下のような事項が記載されている。
「５は自動送込式脱穀装置１の排出側に設けた株元側排藁搬送装置であり、チェーン等で形成した株元搬送体６と該株元搬送体６の下方位置に配設した株元挟持体７とから構成し、扱室２で脱穀処理された穀稈の株元側を後方へ挟持搬送する。」（第４頁第１−６行）
「９は前記株元側排藁搬送装置５と並行に配設した穂先側排藁搬送装置であり、外周面に突起１０を有するベルト等で形成した穂先搬送体１１と穂先挟持体１２とから構成し、排出穀稈の穂先側を後方へ挟持搬送する。」（第４頁第１０−１４行）
「穀稈搬送装置４により刈取穀稈の穂先を扱室２内に供給すると、扱胴３により脱穀処理され、脱穀された穀粒は下方に落下して選別され、扱室２から排出された排藁は、株元側を株元側排藁搬送装置５に引継かれ、穂先側を穂先側排藁搬送装置９に引継かれて搬送される。」（第６頁第４−９行）
　また、第１図及び第２図の記載から、株元搬送体６をその後端部側が穀稈搬送装置４の搬送方向から遠ざかる方向に向けて設け、穂先搬送体１１をその後端が株元搬送体６の後端より前側となるように並置して設け、且つ、穂先挟持体１２の後端を株元搬送体６の後端より前側で且つ穂先搬送体１１の後端よりも前側の位置にしていること、穀稈搬送装置４はチェーン等で形成した搬送体からなっていること、及び、株元搬送体６及び穂先搬送体１１を上方から吊り下げ支持している枠が、株元搬送体６と穂先搬送体１１と穂先挟持体１２とに平行状態に配置されていないことが看取できる。
　さらに、第５図の記載から、株元搬送体６の直下に該株元搬送体６に対向する断面円形状の株元挾持体７を設ける一方、穂先搬送体１１の直下には該穂先搬送体１１に対向する挾持杆の如き挾持案内部材を設けずに、穂先搬送体１１の直下を避けて該穂先搬送体１１と株元搬送体６に対向する株元挾持体７との間にあって該株元搬送体６に対向する株元挾持体７側から離間し穂先搬送体１１側に接近するように穂先搬送体１１に偏倚させて配置し、株元挟持体７及び穂先挟持体１２に下方に板状体を備えている点が看取できる。
　これらの記載事項によれば、引用例には、以下のとおりの発明が記載されていると認められる。
「自動送込式脱穀装置１に臨む穀稈搬送装置４の搬送終端部に株元を挾持しながら排藁を機外へ搬送する株元搬送体６をその後端部側が穀稈搬送装置４から遠ざかる方向に傾斜させて設け、この株元搬送体６によって挟持搬送される排藁の穂先側には排藁を搬送する穂先搬送体１１をその後端が前記株元搬送体６の後端より前側となるように並置して設け、前記株元搬送体６と穂先搬送体１１とによって搬送される排藁を下方から支持すると共に棒状部材にて形成された穂先挟持体１２を配置するにあたり、該穂先挟持体１２は穂先搬送体１１に対して穂先側には配置せずに穂先搬送体１１に対して株元側の穂先搬送体６と株元搬送体６との間に一個のみ配置して設け、しかも、前記穂先挟持体１２は穂先搬送体１１と株元搬送体６との間でありながら穂先搬送体１１に近い側の位置に配置して構成し、株元搬送体６は、枠に支持させて構成した脱穀部の排藁搬送装置。」（以下、「引用発明」という。）
　また、当審で通知した取り消しの理由で引用した刊行物２（実願昭５２−１５９００７号（実開昭５４−８４２６１号）のマイクロフィルム、以下「引用例２」という。）には、以下のような事項が記載されている。
「１は扱室２内に軸架した扱胴であって、扱口に沿ってフィードチェーン３と挟扼レール４とが並設してあり、該挟扼レール４は入口側板５と出口側板６の上部にねじ７，７で固定した支持枠８に弾機を介して吊設されている。また、この支持枠８は第２図に示す如く出口側板６の外方で機幅の中央側へ向けて折曲し、その先端部に補助枠９を螺子１０，１０によって螺着し、該補助枠９の下側部に適当な間隔をおいて直交する方向に熔接した支持杆１１，１１の株元側には、排藁チェーン１２のガイド支持枠１３が固定してあり、穂先側にはベルトガイド板１４が固定されている。」（第３頁第４−１７行）
「また、排藁案内レール２１は排藁ベルト２０の規制されていない面から穂先側へＬだけ偏位させると共に排藁ベルト２０の往路側の内周面と略対向する位置へＨだけ偏位せしめてある。」（第４頁第１１−１４行）
　また、第２図の記載から、補助枠９は、平面視排藁ベルト２０と排藁チェーン１２と排藁案内レール２１に対して平行状態に配置していることが看取できる。
　
３−３．対比及び判断
　本件発明と引用発明とを対比すると、引用発明の「自動送込式脱穀装置１」「穀稈搬送装置４」「株元搬送体６」「株元挾持体７」「脱穀部の排藁搬送装置」が、それぞれ本件発明の「脱穀機１」「脱穀搬送チェン３」「排藁株元側挾持搬送チェン４」「挟持杆」「脱穀機の排藁搬送装置」に相当する。
　また、引用発明の「穂先搬送体１１」は、その直下には該穂先搬送体１１に対向する挟持杆の如き挟持案内部材を設けていないのであるから、本件発明の「排藁を非挾持状態で搬送すると共に排藁に対して融通を有する排藁搬送ベルト５」に相当する。
　また、引用発明の「穂先挟持体１２」は、穂先搬送体１１の直下に設けられずに、穂先搬送体１１の直下を避けて該穂先搬送体１１と株元搬送体６に対向する株元挾持体７との間にあって該株元搬送体６に対向する株元挾持体７側から離間し穂先搬送体１１側に接近するように穂先搬送体１１に偏倚して配置されているから、その機能に照らし、本件発明の「案内杆６」に相当する。
　また、引用発明の「枠」は、引用例１における配置からみて補強に寄与するものと認められるから、本件発明の「補強枠」に相当する。
　そうすると、本件発明と引用発明の両者は、「脱穀機に臨む脱穀搬送チェンの搬送終端部に株元を挾持しながら排藁を機外へ移送する挾持排藁チェンをその終端部側が脱穀搬送チェン３から遠ざかる方向に傾斜させて設け、この挾持排藁搬送チェンによって挾持搬送される排藁の先端側には排藁を非挾持状態で搬送すると共に排藁に対して融通を有する排藁搬送ベルトをその後端側が前記挾持排藁搬送チェンの後端より前側となるようにして並置して設け、前記挾持排藁搬送チェンと排藁搬送ベルトとによって搬送される排藁を下方から支持すると共に棒状部材にて形成された案内杆を配置するにあたり、該案内杆は排藁搬送ベルトに対して穂先側には配置せずに排藁搬送ベルトに対して株元側の排藁搬送ベルトと挾持排藁搬送チェンとの間に一個のみ配置して設け、しかも、前記案内杆は排藁搬送ベルトと挾持排藁搬送チェンとの間でありながら排藁搬送ベルトに近い側の位置に配置して構成し、前記挟持排藁搬送チェンは補強枠に支持させて構成した脱穀機の排藁搬送装置。」で一致し、以下の点で相違する。
・ 相違点
　本件発明は、案内杆６と排藁との接触面は、排藁搬送ベルト５と排藁との接触面よりも上方に位置するように構成し、挟持排藁搬送チェン４を支持する補強枠９は、平面視前記排藁搬送ベルト５と挟持排藁搬送チェン４と案内杆６に対して平行状態に配置して構成しているのに対し、引用発明は、穂先挟持体１２と排藁との接触面と、穂先搬送体１１と排藁との接触面との位置関係が明らかでなく、株元搬送体６を支持する枠が、穂先搬送体１１と株元搬送体６と穂先挟持体１２に対して平行状態に配置されていない点。
上記相違点について検討する。
　引用発明において、穂先挟持体１２と排藁との接触面を、穂先搬送体１１と排藁との接触面より上方とすることは、搬送される排藁の量や排藁の可撓性などの諸事情を考慮すれば当業者にとって格別困難なことではなく、さらに、引用例２に記載の排藁案内レール２１（本件発明の「案内杆６」に対応）と排藁との接触面を、排藁ベルト２０（本件発明の「排藁搬送ベルト５」に対応）と排藁との接触面よりも上方に位置させるようにした構成を引用発明に適用することによっても当業者が格別困難なく想起し得たものでもある。
　また、引用発明では、株元搬送体６を支持する枠が、穂先搬送体１１と株元搬送体６と穂先挟持体１２に対して平行状態に配置されていないが、排藁搬送用のチェーンを支持する枠の配置については脱穀機の態様に応じて適宜決定され得るものと解され、引用例２に記載の排藁チェーン１２及び排藁ベルト２０を支持杆１１，１１を介して支持する補助枠９が、平面視排藁ベルト２０と排藁チェーン１２と排藁案内レール２１に対して平行状態に配置している構成を参照すれば、引用発明における株元搬送体６を支持する枠を、穂先搬送体１１と株元搬送体６と穂先挟持体１２に対して平行状態に配置することは、当業者にとって格別困難なことではない。
　
　そして、本件発明の上記相違点に係る構成に基づく作用効果は、当業者が引用発明及び引用例２に記載された発明から予測し得る範囲内のものにすぎない。
　
　なお、特許権者は、意見書において、引用例１及び引用例２のいずれにおいても、排藁搬送装置が、上方に設けるフレームから吊り下げ支持されている構成であるから、本件発明とは相違し、本件発明のようにしたことにより、補強枠９が挟持搬送チェン４の上方に極端に突出しなくなり、このため、脱穀装置をコンパクトにできる旨主張する。
　しかしながら、本件特許明細書の特許請求の範囲の【請求項１】の記載では、補強枠９と他部材とが平面視して平行状態であれば足り、上方に設けるフレームから排藁搬送装置を吊り下げ支持する構成を排除するものではなく、また、補強枠９が挟持搬送チェン４の上方に極端に突出しなくなることについて言及するものでもない。
　よって、意見書における特許権者の主張は、本件の特許請求の範囲の【請求項１】の記載に基づくものではないので、採用することができない。
　
３−４．むすび
　以上のとおりであるから、本件発明は、上記引用発明及び引用例２に記載の発明に基づいて当業者が容易に発明をすることができたものであるから、本件発明についての特許は、特許法第２９条第２項の規定に違反してされたものである。
　したがって、本件発明についての特許は、特許法第１１３条第２号に該当し、取り消されるものである。
　よって結論のとおり決定する。
【異議決定日】
平成１６年３月２５日（２００４．３．２５）
【訂正の要旨】
審決（決定）の【理由】欄参照。
（５４）【発明の名称】
脱穀機の排藁搬送装置
（５７）【特許請求の範囲】
　【請求項１】脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成し、さらに、案内杆６と排藁との接触面は、排藁搬送ベルト５と排藁との接触面よりも上方に位置するように構成し
、前記挾持排藁搬送チェン４は、補強枠９に支持させて構成するとともに、該補強枠９は、平面視前記排藁搬送ベルト５と挾持排藁搬送チェン４と案内杆６に対して平行状態に配置して構成
【発明の詳細な説明】
　【発明の属する技術分野】
　本発明は、脱穀機の排藁搬送装置に関し、特に、コンバインの脱穀機に有効に利用できるものである。
　【従来技術】
　従来のこの種脱穀機における排藁搬送装置は、搬送中の排藁を支える案内杆が排藁ベルトより排藁の先端側に配置されていた。
　また、実開昭５９ー１０１６３６号公報には、排稈搬送チェンと排稈搬送ベルトとの間に下側から搬送中の排稈を支えて案内する案内レールを設けたものが記載されているが、この案内レールは板状部材にて構成されていて、しかも、排稈搬送チェンと排稈搬送ベルトとの間において幅方向に連続して構成されている。
　【発明が解決しようとする課題】
　したがって、前記従来技術にあっては、排藁の移送中に排藁の先端部分が案内杆とこすれて大きな抵抗となり、搬送遅れが生じて排藁の姿勢が乱れ、後行程の排藁カッタ−や排藁結束装置での処理に支障を生じる欠陥があった。
　また、排藁は、その先端部分が搬送過程で搬送通路の底板から上方に持ち上げられた状態で搬送されるから、底板上を掃きながら移動することが少なく、藁屑が滞積しやすいものであった。
　しかして、脱穀機の排藁搬送装置は、一般に、扱室から出た排藁が穂先遅れの状態にあるから、これを修正して機外に達するときには株元と穂先が揃った正しい姿勢にする必要がある。
　また、機外に搬送する排藁は、排藁搬送通路上に搬送中の藁から落下して滞積した藁屑を掃き出しながら機外に持ち出さなければならない。
　本発明は、上述の問題点を解決せんとするものである。
　【課題を解決するための手段】
　この発明は、上述の如き課題を解決するために、次のような技術的手段を講じる。
　すなわち、脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成し、さらに、案内杆６と排藁との接触面は、排藁搬送ベルト５と排藁との接触面よりも上方に位置するように構成し
、前記挾持排藁搬送チェン４は、補強枠９に支持させて構成するとともに、該補強枠９は、平面視前記排藁搬送ベルト５と挾持排藁搬送チェン４と案内杆６に対して平行状態に配置して構成
　【作用】
　これにより、穀稈は、脱穀搬送チェン３によって搬送中に脱穀機１内の扱胴の作用を受けて脱穀処理され、この脱穀処理後の排藁は、その株元側を脱穀搬送チェン３の終端部から挾持排藁チェン４に引き継がれて排藁通路２を通って機外へと搬送される。
　このとき、排藁は、排藁搬送ベルト５の近傍にあって棒状の案内杆６によって下側から支えられた状態にあって、排藁の株元側と先端側とが、前記挾持排藁チェン４と排藁搬送ベルト５とによって搬送作用を受けるため、排藁の搬送姿勢の乱れが少なくなる。
　また、稈屑等は、挾持排藁チェン４と案内杆６との間、あるいは、排藁搬送ベルト５と案内杆６との間とから下方へと落下していく。さらに、搬送中の排稈は、案内杆６に対して接触面積が少ないので、搬送抵抗が少なくなりスムーズに搬送されていく。さらに、案内杆６は一個しかないので、排藁に対して抵抗が少なくなり、スムーズに搬送されていく。
　そして、案内杆６と排藁との接触は、排藁搬送ベルト５と排藁との接触よりも上方で接触する。
　【発明の効果】
　このように、本発明は、脱穀機１に臨む脱穀搬送チェン３の搬送終端部に株元を挾持しながら排藁を機外へ移送する挾持排藁チェン４をその終端部側が脱穀搬送チェン３から遠ざかる方向に傾斜させて設け、この挾持排藁搬送チェン４によって挾持搬送される排藁の先端側には排藁を非挾持状態で搬送すると共に排藁に対して融通を有する排藁搬送ベルト５をその後端側が前記挾持排藁搬送チェン４の後端より前側となるようにして並置して設け、前記挾持排藁搬送チェン４と排藁搬送ベルト５とによって搬送される排藁を下方から支持すると共に棒状部材にて形成された案内杆６を配置するにあたり、該案内杆６は排藁搬送ベルト５に対して穂先側には配置せずに排藁搬送ベルト５に対して株元側の排藁搬送ベルト５と挾持排藁搬送チェン４との間に一個のみ配置して設け、しかも、前記案内杆６は排藁搬送ベルト５と挾持排藁搬送チェン４との間でありながら排藁搬送ベルト５に近い側の位置に配置して構成したことを特徴とする脱穀機の排藁搬送装置としたので、排藁の搬送姿勢の乱れを少なくして機外への排出を円滑に行えるほか、特にこの発明では、排藁搬送チェン４によってしっかり保持された排藁の中間部を棒状の案内杆６によって下側から持ち上げるようにして支持するので、排藁の先端側が平均的に前後に分散した層の薄い状態となって、例えばカッターを用いた裁断処理を良好に行える等、脱穀作業効率を向上させることができる。
　また、稈屑等は、挾持排藁チェン４と案内杆６との間、あるいは、排藁搬送ベルト５と案内杆６との間とから下方へと落下していくので、藁屑等の堆積が少なく詰まりを防止できる。さらに、搬送中の排稈は案内杆６に対する接触面積が少なく一個しかないので、搬送抵抗が少なくなりスムーズに搬送されていく。
　案内杆６は排藁搬送ベルト５に対して穂先側には配置していないので、排藁の穂先側を跳ね上げることを防止でき、従って、搬送される排藁の搬送乱れを防止できる。そして、案内杆６は排藁搬送ベルト５と挾持排藁搬送チェン４との間でありながら排藁搬送ベルト５に近い側の位置に配置しているので、排藁の跳ね上がりを戻す作用があり、搬送排藁が安定して搬送されていく。
　さらに、案内杆６と排藁との接触は、排藁搬送ベルト５と排藁との接触よりも上方で接触するので、多量の排藁が搬送されてきても排藁の跳ね上がりを戻して防止することができる。
　【発明の実施の形態】
　まず、その構成について説明する。
　脱穀機１は、扱室７と、脱穀搬送チエン３と、排藁搬送装置８等から構成している。
　排藁搬送装置８は、挾持排藁チエン４と、排藁搬送ベルト５と、案内杆６とからなっている。
　まず、挾持排藁チエン４は、補強枠９に支持させたチエンと底板１０に取り付けた挾持杆とからなり、始端部を前記脱穀搬送チエン３に臨ませ、終端部を機外に位置させている。そして、この挾持排藁チエン４は、扱室７からでた排藁を先端方向に寄せながら搬送するために、平面的に傾斜させて設けている。
　排藁搬送ベルト５は、上記挾持排藁チエン４が挾持した排藁の先端側にそのチエン４から所定の間隔を隔て、沿わせて設けている。
　案内杆６は、排藁搬送ベルト５と挾持排藁チエン４との間に搬送藁を下方から支持するように設けている。
　そして、挾持排藁チエン４は、ギアボックス１１から伝動される構成としている。排藁搬送ベルト５は、挾持排藁チエン４から伝動軸１２を介して伝動される構成としている。
　つぎにその作用について説明する。
　まず、機体の回転各部を駆動しながら脱穀作業を開始する。
　すると、穀稈は、株元が脱穀搬送チエン３によって挾持され穂先が扱室７に供給されて脱穀作用を受ける。
　そして、脱穀された穀稈は、株元部分が脱穀搬送チエン３の終端部分から挾持排藁チエン４に受け継がれ、若干搬送遅れの状態になった先端部分が扱室７から排出されて排藁搬送ベルト５に達する。
　このようにして、排藁は、排藁搬送装置８に受け継がれると、株元と先端部とが挾持排藁チエン４と排藁搬送ベルト５との両者によって搬送され、その中間部分が下方から案内杆６によって支えられた状態で搬送される。
　したがって、排藁は、若干搬送遅れとなっている先端部分にブレ−キをかけることなく円滑に搬送できる。しかも、排藁は、その先端部分で排藁通路２の底板１０上を掃くようにして進み藁屑を機外つれだすことが出来る。
　そして、排藁は、排藁搬送装置８の終端部から機外に排出される。
【図面の簡単な説明】
　【図１】
　本発明の要部の作用を示す断面図である。
　【図２】
　本発明の要部の平面図である。
　【図３】
　本発明の一部切断した平面図である。
　【符号の説明】
　１…脱穀機、２…排藁通路、３…脱穀搬送チエン、４…挾持排藁チエン、５…排藁搬送ベルト、６…案内杆
、９…補強枠。